(57)【要約】【課題】使用状況に応じたサムネイル画像の有効な表示を実現することが可能な表示制御装置、表示制御方法、およびプログラムを提供する。【解決手段】テレビジョン放送信号を受信する受信部５１と、テレビジョン放送信号に含まれる映像情報、再生映像、およびサムネイル画像を表示可能な表示デバイス２０と、映像情報を、顔認識処理を行いながら録画可能な記録部５５と、表示部に映像情報、再生映像、およびサムネイル画像の表示デバイス２０への表示を制御する制御部５５と、を有し、制御部５０は、記録部５５で録画する番組のサムネイル画像として顔認識されたシーンで代表画を置き換える。【選択図】図１
2010074789.tif 000002
【特許請求の範囲】
【請求項１】
テレビジョン放送信号を受信する受信部と、
上記テレビジョン放送信号に含まれる映像情報、再生映像、およびサムネイル画像を表示可能な表示部と、
上記映像情報を、顔認識処理を行いながら録画可能な記録部と、
上記表示部に映像情報、再生映像、およびサムネイル画像の上記表示部への表示を制御する制御部と、を有し、
上記制御部は、
上記記録部で録画する番組のサムネイル画像として顔認識されたシーンで代表画を置き換える
表示制御装置。
【請求項２】
上記制御部は、
あらかじめ指定された顔認識対象の最初に認識した画像で、上記サムネイル画像として代表画を置き換える
請求項１記載の表示制御装置。
【請求項３】
上記制御部は、
あらかじめ指定された顔認識対象の画をサムネイル画像として表示し、当該サムネイル画像を録画している映像の顔認識した画像で置き換える
請求項２記載の表示制御装置。
【請求項４】
上記制御部は、
顔認識で得られ上記置き換えたサムネイル画像が選択されると、当該サムネイル画像を顔認識で得た上記記録部に録画されている映像を再生する
請求項１から３記載のいずれか一に記載の表示制御装置。
【請求項５】
テレビジョン放送信号を受信するステップと、
上記テレビジョン放送信号に含まれる映像情報を、顔認識処理を行いながら録画するステップと、
映像およびサムネイル画像を表示部に表示するステップと、
上記表示部へのサムネイル画像の表示に際し、録画する番組のサムネイル画像として顔認識されたシーンで代表画を置き換えるステップと
を有する表示制御方法。
【請求項６】
あらかじめ指定された顔認識対象の最初に認識した画像で、上記サムネイル画像として代表画を置き換える
請求項５記載の表示制御方法。
【請求項７】
あらかじめ指定された顔認識対象の画をサムネイル画像として表示し、当該サムネイル画像を録画している映像の顔認識した画像で置き換える
請求項６記載の表示制御方法。
【請求項８】
顔認識で得られ上記置き換えたサムネイル画像が選択されると、当該サムネイル画像を顔認識で得た上記記録部に録画されている映像を再生する
請求項５から７記載のいずれか一に記載の表示制御方法。
【請求項９】
テレビジョン放送信号を受信部で受信する処理と、
上記テレビジョン放送信号に含まれる映像情報を、顔認識処理を行いながら記録部で録画する処理と、
映像およびサムネイル画像を表示部に表示する処理と、
上記表示部へのサムネイル画像の表示に際し、録画する番組のサムネイル画像として顔認識されたシーンで代表画を置き換える処理と
を有する表示制御処理をコンピュータに実行させるプログラム。
【発明の詳細な説明】
【技術分野】
【０００１】
本発明は、テレビジョン放送信号に含まれる映像情報を表示し、テレビジョン映像に並列に、サムネイル画像を表示することが可能な表示制御装置、表示制御方法、およびプログラムに関するものである。
【背景技術】
【０００２】
近年、テレビジョン受像機において、デジタルカメラで撮像した写真や録画あるいは配信された画像を縮小させて表示するサムネイル表示が可能となっている。
【０００３】
写真等のサムネイル画像を表示する場合、テレビジョン受像機側で決められた表示領域に、たとえば記録した順番で表示される。
そして、表示されたサムネイル画像をカーソル等で選択すると、たとえばそのサムネイル表示されている写真がテレビジョン画面にある程度拡大されて表示される。
【０００４】
この場合、サムネイル画像は、テレビジョン放送信号に含まれる放送映像あるいは再生映像と並列に表示することが可能である。
このとき、サムネイル画像は、通常の放送映像あるいは再生映像と同様の輝度をもって表示される。
【０００５】
また、録画した映像（コンテンツ）を再生する技術が特許文献１に開示されている。
この技術では、録画したコンテンツの再生位置に対応する画像をサムネイル画像として時系列的に表示し、任意のサムネイル画像が選択されると対応する再生位置から録画されたコンテンツを再生する。
【特許文献１】特開２００５−３０３７４３号公報
【発明の開示】
【発明が解決しようとする課題】
【０００６】
ところで、上述したサムネイル画像の表示において、テレビジョン受像機側で決められた表示領域に、たとえば記録した順番で表示されることから、視聴者（ユーザ）の好みの写真等を任意に表示させることが困難である。
また、好みの写真のみをサムネイル表示用として登録していたとしても、記録した順番で表示されることから、ユーザの好みに合った順番で表示されるとは言い難く、使用勝手の面で課題がある。
【０００７】
また、サムネイル画像は、放送映像あるいは再生映像と並列に表示する場合、サムネイル画像と通常の放送映像等は同様の輝度をもって表示されることから、映像を楽しんでいる場合にはサムネイル画像が目立ちすぎる場合がある。
すなわち、サムネイル画像の輝度が高いと、たとえば画面中央部に放送映像あるいは再生映像に表示されている場合に、中央の放送映像がメインであるにもかかわらず、画面の側部にあるサムネイル画像が目立ってしまい、映像の視聴を妨げるおそれがある。
【０００８】
また、上述した録画した映像の再生技術では、録画されたドラマやコマーシャルメッセージ（ＣＭ）において、先頭画をサムネイル画像として表示することにすると、サムネイル画像はドラマのタイトルやＣＭの先頭やＣＭ自体となる。
これでは、たとえば好みの俳優が出演するドラマや好みの選手が出場するサッカーゲームの録画を行ったつもりであっても次の不利益がある。
すなわち、ドラマのタイトルやＣＭ等のサムネイル画像では、ユーザは好みの俳優等の出演する映像を本当に録画できたか否かを簡単に判断することが困難である。
【０００９】
このように、使用状況等に応じてサムネイル画像の有効な表示形態が求められている。
【００１０】
本発明は、使用状況に応じたサムネイル画像の有効な表示を実現することが可能な表示制御装置、表示制御方法、およびプログラムを提供することにある。
【課題を解決するための手段】
【００１１】
本発明の第１の観点の表示制御装置は、テレビジョン放送信号を受信する受信部と、上記テレビジョン放送信号に含まれる映像情報、再生映像、およびサムネイル画像を表示可能な表示部と、上記映像情報を、顔認識処理を行いながら録画可能な記録部と、上記表示部に映像情報、再生映像、およびサムネイル画像の上記表示部への表示を制御する制御部と、を有し、上記制御部は、上記記録部で録画する番組のサムネイル画像として顔認識されたシーンで代表画を置き換える。
【００１２】
好適には、上記制御部は、あらかじめ指定された顔認識対象の最初に認識した画像で、上記サムネイル画像として代表画を置き換える。
【００１３】
好適には、上記制御部は、あらかじめ指定された顔認識対象の画をサムネイル画像として表示し、当該サムネイル画像を録画している映像の顔認識した画像で置き換える。
【００１４】
好適には、上記制御部は、顔認識で得られ上記置き換えたサムネイル画像が選択されると、当該サムネイル画像を顔認識で得た上記記録部に録画されている映像を再生する。
【００１５】
本発明の第２の観点の表示制御方法は、テレビジョン放送信号を受信するステップと、上記映像情報を、顔認識処理を行いながら録画するステップと、映像およびサムネイル画像を表示部に表示するステップと、上記表示部へのサムネイル画像の表示に際し、録画する番組のサムネイル画像として顔認識されたシーンで代表画を置き換えるステップとを有する。
【００１６】
本発明の第３の観点は、テレビジョン放送信号を受信部で受信する処理と、上記テレビジョン放送に含まれる映像情報を、顔認識処理を行いながら記録部で録画する処理と、映像およびサムネイル画像を表示部に表示する処理と、上記表示部へのサムネイル画像の表示に際し、録画する番組のサムネイル画像として顔認識されたシーンで代表画を置き換える処理とを有する表示制御処理をコンピュータに実行させるプログラムである。
【００１７】
本発明によれば、受信部でテレビジョン放送信号が受信される。記録部において受信したテレビジョン放送に含まれる映像情報が、顔認識処理を行いながら録画される。
また、表示部には映像が表示され、また、制御部によりサムネイル画像が表示される。
制御部は、表示部へのサムネイル画像の表示に際し、録画する番組のサムネイル画像として顔認識されたシーンで代表画を置き換える。
【発明の効果】
【００１８】
本発明によれば、使用状況に応じたサムネイル画像の有効な表示を実現することができる。
【発明を実施するための最良の形態】
【００１９】
以下、本発明の実施形態を図面に関連付けて説明する。
【００２０】
図１は、本発明の実施形態に係る表示制御装置の構成例を示すブロック図である。
図２は、本発明の実施形態に係る表示制御装置の表示デバイスの概要を示す図である。
【００２１】
本実施形態の表示制御装置１０は、表示デバイス２０、スピーカ３０、テレビジョン（ＴＶ）アンテナ４０、制御部５０、操作部としてのリモートコマンダ６０、受光部７０、および記録再生部８０を有している。
【００２２】
表示部としての表示デバイス２０は、液晶表示デバイスや有機ＥＬデバイス等の薄型ディスプレイにより形成される。
表示デバイス２０は、図２に示すように、横長のアスペクト比をもって形成されている。表示デバイス２０のアスペクト比は、たとえば１６：９に設定される。
【００２３】
スピーカ３０は、テレビジョン（ＴＶ）放送信号を受信した制御部５０により発音の制御が行われる。
【００２４】
制御部５０は、ＴＶアンテナ４０を介してＴＶ放送信号を受信して音声信号および映像信号をデコーダした結果に応じた音声をスピーカ３０から発音させ、ＴＶ放送信号に応じ、かつ、視聴者（ユーザ）により選局された放送映像を表示デバイス２０に表示する。
【００２５】
本実施形態の制御部５０は、以下の各種機能を有する。
【００２６】
制御部５０は、受信したテレビジョン放送信号に含まれる映像情報およびサムネイル画像の表示デバイス２０への表示を制御する機能を有する。
そして、制御部５０は、優先順位に応じてサムネイル画像を表示する機能を有する。
制御部５０は、サムネイル画像を表示するための優先順位を、アクセス回数に応じて設定する機能を有する。
また、制御部５０は、お気に入り順に順番付けされた優先順位に応じてサムネイル画像を表示する機能を有している。
この場合、制御部５０は、たとえば当初はお気に入り順に順番付けされた優先順位を適用し、アクセス回数の情報が閾値以上に蓄積されると、アクセス回数に応じて優先順位を再割り当てるような機能を持つことも可能である。
【００２７】
制御部５０は、複数のサムネイル画像を、優先順位に従って設定される表示領域に表示する機能を有する。
制御部５０は、表示デバイス２０に、映像を表示するメイン表示領域と、メイン表示領域に並列に、サムネイル画像を表示するためのサブ表示領域とを形成し、サブ表示領域にはメイン表示領域に近い側から優先順位の高いサムネイル画像を表示する機能を有する。
より具体的には、制御部５０は、表示デバイス２０に、映像を表示するメイン表示領域と、メイン表示領域の両側に並列に、サムネイル画像を表示するための第１および第２のサブ表示領域とを形成する。そして、制御部５０は、第１のサブ表示領域および第２のサブ表示領域の少なくとも一方のサブ表示領域には、メイン表示領域に近い側から優先順位の高いサムネイル画像を表示する機能を有する。
【００２８】
また、制御部５０は、サムネイル画像の輝度をメイン表示領域に表示される映像情報より低くして表示する機能を有する。
この場合、制御部５０は、サムネイル画像の一部の輝度を高くして表示する機能を有する。
また、制御部５０は、カーソル等で選択されたサムネイル画像の輝度を高くして表示する機能を有する。制御部５０は、複数のサムネイル画像を表示する場合、選択されたサムネイル画像の輝度を高くして表示する機能を有している。
【００２９】
さらに、制御部５０は、受信した映像情報を、顔認識処理を行いながら録画可能な機能を有している。
そして、制御部５０は、録画する番組のサムネイル画像として顔認識されたシーンで代表画を置き換える機能を有している。
この場合、制御部５０は、あらかじめ指定された顔認識対象の最初に認識した画像で、サムネイル画像として代表画を置き換える。
制御部５０は、あらかじめ指定された顔認識対象の画をサムネイル画像として表示し、サムネイル画像を録画している映像の顔認識した画像で置き換える機能を有している。
また、制御部５０は、顔認識で得られ置き換えたサムネイル画像が選択されると、サムネイル画像を顔認識で得た記録再生部８０に録画されている映像を再生する機能を有する。
【００３０】
このような各種機能を有する制御部５０は、図１に示すように、ＴＶチューナ５１、音声デコード回路５２を有する。
さらに、制御部５０は、映像デコード回路５３、重畳回路５４、顔認識記録部５５、マイクロコンピュータ（μ‐Ｃｏｍ）５６、およびＯＳＤ（On Screen Display）制御回路５７を有している。
【００３１】
ＴＶチューナ５１は、マイクロコンピュータ５６からの命令に従い、指定されたＴＶ放送チャンネルのＴＶ放送信号を受信復調し、音声信号を音声デコード回路５２に供給し、映像信号を映像デコード回路５３に供給する。
なお、受信した放送信号は、マイクロコンピュータ５６の制御の下、記録再生部８０に記録され、その記録情報が再生されて表示デバイス２０に表示されるように構成されている。
【００３２】
音声デコード回路５２は、音声信号をデコードし、スピーカ５０に出力する。
【００３３】
映像デコード回路５３は、マイクロコンピュータ５６の制御の下、映像信号をデコードし、デコードした信号ＰＣＴＲを重畳回路５４、顔認識記録部５５、およびＯＳＤ制御回路５７に供給する。
【００３４】
重畳回路５４は、映像信号デコード回路５３による映像信号ＰＣＴＲとＯＳＤ制御回路５７により表示デバイス２０の表示画面上に補完情報としてのサムネイル画像やカーソル等を重畳して表示する。
重畳回路５４は、ＯＳＤ制御回路５７の制御に応じて、記録再生部８０から再生される再生映像に、サムネイル画像を並列に表示させる。
【００３５】
顔認識記録部５５は、受信した映像情報を、顔認識処理を行いながら記録再生部８０に録画可能な機能を有している。
顔認識記録部５５は、顔認識した顔認識画像情報ＩＦＣをＯＳＤ制御回路５７に供給する。
【００３６】
図３は、本実施形態に係る顔認識記録部５５の構成例を示すブロック図である。
【００３７】
顔認識記録部５５は、図３に示すように、顔認識部５５０を有する。
顔認識部５５０は、顔検出部５５１、特徴抽出部５５２、および比較出力部５５３を含んで構成される。
【００３８】
顔検出部５５１は、映像デコード回路５３による映像信号ＰＣＴＲである動画コンテンツから、これから認識を行う人物の顔画像（認識対象顔画像）を検出する。
顔検出部５５１は、動画コンテンツから人物の顔画像をフレーム単位で検出する検出処理を実行する。
そして、顔検出部５５１は、検出処理により新たな人物の顔画像を検出すると、それ以降のフレームを対象として、同一人物の顔を追跡するための追跡処理を実行する。
ここで、追跡処理とは、たとえばそれ以降のフレームに同一人物の顔が含まれているか否かを判定し、含まれていると判定している限り、その同一人物の顔画像の検出を繰り返していく、といった処理をいう。
すなわち、顔検出部５１１は、動画コンテンツから、新たな人物の顔画像を検出する毎に、その新たな人物の顔の追跡を行う追跡処理を繰り返していく。これにより、顔検出部５５１は、時間的に連続した追跡範囲（ここでは、時間的に連続した１以上のフレームからなるフレーム群）に含まれる１以上の顔画像を含む時系列画像を１以上検出する。
【００３９】
特徴抽出部５５２は、たとえば演算処理装置により構成され、顔検出部５５１で検出された顔の画像データを順次読み込んで輪郭抽出等の処理を実行することにより、画像より、目、鼻、口等の顔の特徴を示す部分の位置データ等を検出する。
【００４０】
データベースとしての記録再生部８０は、任意に指定される人物の特徴的な部分の位置データ等を各人物毎にデータベース化して保持している。
【００４１】
比較出力部５５３は、特徴抽出部５５２により検出された特徴的な部分の位置データと、記録再生部８０に登録された対応する位置データを順次比較することにより、検出した顔と記録再生部８０に登録された顔か否か判定する。
比較出力部５５３は、顔が一致すると、認識した顔認識画像情報ＩＦＣをＯＳＤ制御回路５７に供給する。
【００４２】
マイクロコンピュータ５６は、リモートコマンダ６０からの指示信号に対応してＴＶ受像機として機能する制御部５０の各種制御を行う。マイクロコンピュータ５６は、リモートコマンダ６０の指示信号に応じてチャンネル切り換えや音量調整等の制御を行う。
マイクロコンピュータ５６は、リモートコマンダ６０を介して入力される信号を分析処理する。
マイクロコンピュータ５６は、分析処理に従って補完情報としてのサムネイル画像やカーソル等の各種情報を形成させるための指示、並びにＯＳＤ表示に関する指示命令をＯＳＤ制御回路５７に出力する。
【００４３】
ＯＳＤ制御回路５７は、マイクロコンピュータ５６の指示命令ＣＭＤに従って、表示画面に対応したアイコン表示や文字図形表示を行うための各種ＯＳＤ映像信号を生成し、重畳回路５４に出力する。
ＯＳＤ制御回路５７は、マイクロコンピュータ５６の指示命令ＣＭＤに従って、補完情報としてのサムネイル画像やカーソル等の各種情報を形成する。
ＯＳＤ制御回路５７は、形成したＯＳＤ映像信号を重畳回路５４に出力する。
このＯＳＤ映像信号の映像は、重畳回路５４により映像デコード回路５３によるＴＶ映像信号の映像に重畳されて表示デバイス２０に出力される。
【００４４】
また、ＯＳＤ制御回路５７は、たとえばＴＶ映像が表示デバイス２０に表示されている場合に、マイクロコンピュータ５６の指示命令ＣＭＤに従って、表示領域の所定の領域に放送映像、再生映像、およびサムネイル画像を表示させる機能を有する。
【００４５】
図４は、本実施形態に係るＯＳＤ制御回路５７の要部の機能ブロックを示す図である。
【００４６】
図４のＯＳＤ制御回路５７は、サムネイル表示制御機能部５７１、優先順位制御機能部５７２、サムネイル輝度制御機能部５７３、カーソル制御機能部５７４、および顔認識画像制御機能部５７５を含む。
サムネイル表示制御機能部５７１、優先順位制御機能部５７２、サムネイル輝度制御機能部５７３、カーソル制御機能部５７４、および顔認識画像制御機能部５７５は、バス５７６により接続されている。
【００４７】
サムネイル表示制御機能部５７１は、たとえばＴＶ映像が表示デバイス２０に表示されている場合に、マイクロコンピュータ５６のサムネイル表示指示命令ＣＭＤに従って、表示領域の所定のサブ領域に、サムネイル画像を表示させる機能を有する。
【００４８】
なお、このサムネイル表示機能は、たとえばリモートコマンダ６０でユーザによりサムネイル表示指示キーが選択されたときに、マイクロコンピュータ５６が発するサムネイル表示指示命令ＣＭＤに従って起動される。
【００４９】
優先順位制御機能部５７２は、サムネイル表示制御機能部５７１により表示デバイス２０に表示されるサムネイル画像を規定する優先順位に従って表示させる。
優先順位制御機能部５７２は、あらかじめユーザによりお気に入り順に順番付けされた優先順位に応じてサムネイル画像を表示させる。
優先順位制御機能部５７２は、サムネイル画像を表示するための優先順位を、アクセス回数に応じて設定する。
この場合、優先順位制御機能部５７２は、たとえば当初はお気に入り順に順番付けされた優先順位を適用し、アクセス回数の情報が閾値以上に蓄積されると、アクセス回数に応じて優先順位を再割り当てるような制御を行う。
【００５０】
優先順位制御機能部５７２は、複数のサムネイル画像を、優先順位に従って設定される表示領域に表示させる。
【００５１】
サムネイル表示制御機能部５７１は、サムネイル表示を行うときは、表示デバイス２０の中央部に、放送映像を表示するメイン表示領域と、メイン表示領域に並列に、サムネイル画像を表示するためのサブ表示領域とを形成する。
【００５２】
図５は、サムネイル表示が行われている場合の表示デバイスの表示形態の一例を示す図である。
【００５３】
図５の例では、サムネイル表示制御機能部５７１は、表示デバイス２０の表示領域２１に、映像を表示するメイン表示領域２１０と、メイン表示領域の両側に並列に、サムネイル画像を表示するための第１および第２のサブ表示領域２２０，２３０を形成する。
そしてサムネイル表示制御機能部５７１は、第１のサブ表示領域２２０および第２のサブ表示領域２３０の少なくとも一方のサブ表示領域には、メイン表示領域に近い側から優先順位の高いサムネイル画像を表示する。
【００５４】
図５の例では、メイン表示領域２１０に放送映像が表示され、チャンネルの選局は、このメイン表示領域２１０を見ながら行うことができる。
【００５５】
第１のサブ表示領域２２０および第２のサブ表示領域２３０には、各種写真によるサムネイル画像が表示される。
【００５６】
サムネイル表示制御機能部５７１は、第１のサブ表示領域２２０には、２行３列のサブ表示領域２２１〜２２６が形成される。
サムネイル表示制御機能部５７１は、たとえば１行目のメイン表示領域２１０に最も近いサブ表示領域２２１に優先順位が最も高いサムネイル画像を表示させる。
サムネイル表示制御機能部５７１は、たとえば１行目のメイン表示領域２１０に最も近いサブ表示領域２２１に隣接する２列目のサブ表示領域２２２に優先順位が２番目に高いサムネイル画像を表示させる。
サムネイル表示制御機能部５７１は、たとえば１行目のメイン表示領域２１０から最も遠い３列目のサブ表示領域２２３に３番目に高いサムネイル画像を表示させる。
【００５７】
同様に、サムネイル表示制御機能部５７１は、たとえば２行目のメイン表示領域２１０に最も近いサブ表示領域２２４に優先順位が最も高いサムネイル画像を表示させる。
サムネイル表示制御機能部５７１は、たとえば２行目のメイン表示領域２１０に最も近いサブ表示領域２２４に隣接する２列目のサブ表示領域２２５に優先順位が２番目に高いサムネイル画像を表示させる。
サムネイル表示制御機能部５７１は、たとえばメイン表示領域２１０から最も遠い３列目のサブ表示領域２２６に３番目に高いサムネイル画像を表示させる。
【００５８】
このように、行ごとにサムネイル画像を家族写真やその他の写真等にグループ化して、グループごとに優先順位に従って順番で表示させることが可能であり、また、単純にサブ表示領域２２１〜２２６の順に優先順位を割り当てる等、種々の態様が可能である。
【００５９】
サムネイル表示制御機能部５７１は、第１のサブ表示領域２３０には、２行３列のサブ表示領域２３１〜２３６が形成される。
サムネイル表示制御機能部５７１は、たとえば１行目のメイン表示領域２１０に最も近いサブ表示領域２３１に優先順位が最も高いサムネイル画像を表示させる。
サムネイル表示制御機能部５７１は、たとえば１行目のメイン表示領域２１０に最も近いサブ表示領域２３１に隣接する２列目のサブ表示領域２３２に優先順位が２番目に高いサムネイル画像を表示させる。
サムネイル表示制御機能部５７１は、たとえば１行目のメイン表示領域２１０から最も遠い３列目のサブ表示領域２３３に３番目に高いサムネイル画像を表示させる。
【００６０】
同様に、サムネイル表示制御機能部５７１は、たとえば２行目のメイン表示領域２１０に最も近いサブ表示領域２３４に優先順位が最も高いサムネイル画像を表示させる。
サムネイル表示制御機能部５７１は、たとえば２行目のメイン表示領域２１０に最も近いサブ表示領域２３４に隣接する２列目のサブ表示領域２３５に優先順位が２番目に高いサムネイル画像を表示させる。
サムネイル表示制御機能部５７１は、たとえば２行目のメイン表示領域２１０から最も遠い３列目のサブ表示領域２２６に３番目に高いサムネイル画像を表示させる。
【００６１】
この場合も、行ごとにサムネイル画像を家族写真やその他の写真等にグループ化して、グループごとに優先順位に従って順番で表示させることが可能であり、また、単純にサブ表示領域２３１〜２３６の順に優先順位を割り当てる等、種々の態様が可能である。
【００６２】
サムネイル輝度制御機能部５７３は、サムネイル表示制御機能部５７１により放送映像とともにサムネイル画像を表示する場合、中央のメイン表示領域２１０の放送映像より周辺部の写真等が目立たないように、輝度を落としてサムネイル画像を表示させる。
【００６３】
図６（Ａ）および（Ｂ）は、サムネイル表示が行われている場合に輝度を調整する表示形態の一例を示す図である。
【００６４】
たとえば、図６（Ａ）の中央部のメイン表示領域２１０が主体的に表示されるべきであるが、第１のサブ表示領域２２０のサブ表示領域２２３に表示されているサムネイル画像の輝度が高く目立ちすぎる。
そこで、本実施形態においては、図６（Ｂ）に示すように、サブ表示領域２２３のサムネイル画像の輝度をメイン表示領域に表示される映像情報より低くして表示する。
この例では、スポットライトが当たっているように周辺部の輝度を落として暗くし、中央部のメイン表示領域２１０より目立たないように表示輝度制御が行われている。
【００６５】
図７（Ａ）および（Ｂ）、並びに図８は、本実施形態に係るカーソル制御機能部５７４のカーソル設定等について説明するための図である。
【００６６】
カーソル制御機能部５７４は、サムネイル表示制御機能部５７により図５に示すようなサムネイル表示が行われるときに、初期時には図７（Ａ）に示すように、カーソルＣＳＬを中央部のメイン表示領域２１０を囲むように位置させて設定する。
【００６７】
カーソル制御機能部５７４は、メイン表示領域２１０にカーソルＣＳＬを位置させた後は、リモートコマンダ６０の上下左右への移動指示スイッチの操作に応じたマイクロコンピュータ５６の移動指示命令ＣＭＤに従ってカーソルＣＳＬを指示された方向に移動させる。
このとき、中央のメイン表示領域２１０の輝度を落としてカーソルＣＳＬの移動先のサブ表示領域のサムネイル画像のみ輝度を高くして表示される。
【００６８】
カーソルＣＳＬをたとえば第１のサブ表示領域２２０のサブ表示領域２２２に移動させて、リモートコマンダ６０により決定キーが操作されると次の処理が行われる。
すなわち、決定キーが操作されると、サムネイル表示制御機能部５７１が、図８に示すように、決定キーで選定されたサムネイル画像を、中央部のメイン表示領域２１０上に重ねて拡大表示する。
【００６９】
サムネイル表示制御機能部５７１は、カーソルＣＳＬで選択されたサムネイル画像の輝度を高くして表示する。
【００７０】
顔認識画像制御機能部５７５は、顔認識記録部５５により供給される顔認識画像情報ＩＦＣを受けて、録画する番組のサムネイル画像として顔認識されたシーンで代表画を置き換えるように制御する。
顔認識画像制御機能部５７５は、あらかじめ指定された顔認識対象の最初に認識した画像で、サムネイル画像として代表画を置き換える。
顔認識画像制御機能部５７５は、あらかじめ指定された顔認識対象の画をサムネイル画像として表示し、サムネイル画像を録画している映像の顔認識した画像で置き換える。
また、顔認識画像制御機能部５７５は、顔認識で得られ置き換えたサムネイル画像が選択されると、サムネイル画像を顔認識で得た記録再生部８０に録画されている映像を再生させる。
【００７１】
図９は、顔認識画像制御機能部により形成される表示デバイス上の映像表示画面の一例を示す図である。
【００７２】
顔認識画像制御機能部５７５は、表示デバイス２０の表示領域２１に、映像再生領域２４０、およびサブ表示領域２５０を形成する。
【００７３】
映像再生領域２４０は、表示領域２１の６割〜８割程度の大きさをもって形成され、記録再生部８０に記録されている録画映像が再生表示される。
【００７４】
サブ表示領域２５０には、８つのサムネイル表示領域２５１〜２５８が形成され、これらにあらかじめ指定された顔認識対象の画がサムネイル画像として表示される。
そして、顔認識画像制御機能部５７５は、あらかじめ指定された顔認識対象の画をサムネイル画像として表示し、サムネイル画像を録画している映像の顔認識した画像で置き換える。
【００７５】
図１０（Ａ）および（Ｂ）は、顔認識により番組を録画し、その番組のサムネイルとして最初に認識されたシーンで代表画を置き換える理由について説明するための図である。
【００７６】
録画した映像の再生において、図１０（Ａ）に示すように、録画されたドラマやコマーシャルメッセージ（ＣＭ）において、先頭画をサムネイル画像として表示することにすると、サムネイル画像はドラマのタイトルやＣＭの先頭やＣＭ自体となる。
これでは、たとえば好みの俳優が出演するドラマや好みの選手が出場するサッカーゲームの録画を行ったつもりであっても次の不利益がある。
すなわち、ドラマのタイトルやＣＭ等のサムネイル画像では、ユーザは好みの俳優等の出演する映像を本当に録画できたか否かを簡単に判断することが困難である。
そこで、本実施形態においては、図１０（Ｂ）に示すように、使用状況等に応じてサムネイル画像の有効な表示形態を実現するために、顔認識により番組を録画し、その番組のサムネイルとして最初に認識されたシーンで代表画を置き換える。
これにより、任意の人物が登場した番組が録画できていることが容易にわかるようになる。
【００７７】
リモートコマンダ６０は、制御部５０のマイクロコンピュータ５６に、チャンネル選択や、ボールゲームに対する各種表示制御等の指令を赤外線等の無線で伝達する機能を有する。
【００７８】
ユーザがリモートコマンダ６０を操作すると、その操作に対応するＴＶ受像機２１として機能する制御部５０の各種動作を指示する赤外線の指示信号が、受光部７０に入力されて電気信号に変換され、さらにマイクロコンピュータ５６に入力される。
リモートコマンダ６０からの指示信号が、所定のＴＶ放送局の選局を指示するものであるとき、マイクロコンピュータ５６は、この指示信号に対応した選局命令をＴＶチューナ５１に出力する。
リモートコマンダ６０からの指示信号が、ボールゲームに対する各種表示制御等を指示するものであるとき、マイクロコンピュータ５６は、この指示信号に対応した指示命令ＣＭＤをＯＳＤ制御回路５７に出力する。
【００７９】
図１１（Ａ）および（Ｂ）は、本実施形態に係るリモートコマンダ６０の構成例を示す図である。図１１（Ａ）は、リモートコマンダの正面図、図１１（Ｂ）は側面図である。
【００８０】
リモートコマンダ６０は、電源スイッチ６１、チャンネルＵＰ/ＤＯＷＮスイッチ６２、音量ＵＰ/ＤＯＷＮスイッチ６３を有する。
電源スイッチ６１は、ＴＶ受像機に電源を投入し、電源を落とすときに操作される。
チャンネルＵＰ/ＤＯＷＮスイッチ６２は、現在選局されているＴＶ放送チャンネルの次（または前）のチャンネルを選局するときに操作される。
音量ＵＰ/ＤＯＷＮスイッチ６３は、音声出力を増大（または減少）するときに操作される。
なお、リモートコマンダ６０には数字キーが配置されるが、ここでは省略している。なお、数字キーは、操作されたキーの数字に対応する、たとえばＴＶ放送チャンネルを選局するとき操作される。
【００８１】
さらに、リモートコマンダ６０は、十字スティックスイッチ部６４、サムネイル画像表示機能の第１機能ＯＮ/ＯＦＦスイッチ６５、録画機能のための第２機能ＯＮ/ＯＦＦスイッチ６６を有する。
【００８２】
十字スティックスイッチ部６４は、周辺のリング部６４１と中央部の押し込みボタン６４２を有している。
そして、リング部６４１の４分割されたスイッチ部分により上下左右へのカーソルＣＳＬの移動を指示する上下左右キーとしても機能する。
また、押し込みボタン６４１は、そのカーソルＣＳＬで選択されたサムネイル画像を選択表示するための決定キーとして用いることが可能である。
【００８３】
記録再生部８０は、受信映像が、顔認識記録部５５を通して録画（記録）される。
記録再生部８０は、記録されている録画映像がＯＳＤ制御回路５７の指示に従って再生される。
また、記録再生部８０は、あらかじめ登録される好みの俳優やスポーツ選手の顔情報や名前等の顔認識する対象の情報がデータベースとして格納されている。
【００８４】
次に、本実施形態の表示制御装置１０の動作を図１２〜図１４のフローチャートに関連付けて説明する。
【００８５】
図１２に示すように、ユーザが、リモートコマンダ６０の電源スイッチ６１を操作してパワーオン後（ＳＴ１）、数字キーまたはチャンネルＵＰ/ＤＯＷＮスイッチ６２の操作により所定のＴＶ放送チャンネルの選局を指示する（ＳＴ２）。
これにより、リモートコマンダ６０からの指示信号が制御部５０に配置された受光部７０を介してマイクロコンピュータ５６に入力される。
これに対応して、マイクロコンピュータ５６は、ＴＶチューナ５１に対して指定された、たとえばサッカーＴＶ中継放送を行っているＴＶ放送チャンネルの選局命令を出力する。この選局命令に従い、ＴＶチューナ５１は、所定のＴＶ放送チャンネル選択し、音声信号を音声デコード回路５２に出力し、映像信号を映像デコード回路５３に出力する。
映像信号は、映像デコード回路５３でデコードされた後、重畳回路５４を介して表示デバイス２０に表示される。また、音声デコード回路５２は、音声信号をデコードし、スピーカ３０に出力する。
このようにして、表示デバイス２０にサッカーＴＶ映像が表示され放映され（ＳＴ３）、ＴＶ音声信号がスピーカ３０から出力される。
【００８６】
また、映像デコード回路５３でデコードされた映像信号ＰＣＴＲは、顔認識記録部５５に供給される。
【００８７】
ここで、ユーザがたとえばリモートコマンダ６０の第１機能ＯＮ/ＯＦＦスイッチ６５を操作しサムネイル表示指示を発行すると、サムネイル表示制御機能部５７１が以下の処理を行う。
サムネイル表示制御機能部５７１が、マイクロコンピュータ５６のサムネイル表示指示命令ＣＭＤに従って、表示デバイス２０の表示領域２１の中央部に、映像を表示するメイン表示領域する。そして、サムネイル表示制御機能部５７１は、メイン表示領域２１０の両側に並列に、サムネイル画像を表示するための第１および第２のサブ表示領域２２０，２３０を形成する（ＳＴ５）。
そして、優先順位制御機能部５７２が、サムネイル表示制御機能部５７１により表示デバイス２０に表示されるサムネイル画像を、規定する優先順位に従ってサブ表示領域に表示させる（ＳＴ６）。
【００８８】
また、サムネイル輝度制御機能部５７３がサムネイル表示制御機能部５７１により放送映像とともにサムネイル画像を表示する場合、中央のメイン表示領域２１０の放送映像より周辺部の写真等が目立たないよう輝度を落としてサムネイル画像を表示させる（ＳＴ７）。
この輝度を落としてサムネイル画像を表示する機能は、優先順位に従ったサムネイル画像表示機能にかかわりなく発現される。
【００８９】
また、サムネイル画像が表示されると、カーソル制御機能部５７４が、図１３に示すように、メイン表示領域２１０にカーソルＣＳＬを位置させて設定する（ＳＴ８）。
【００９０】
ここで、ユーザがリモートコマンダ６０の上下左右キーでカーソル移動を指示すると、マイクロコンピュータ５６の移動指示命令ＣＭＤがＯＳＤ制御回路５７に入力される（ＳＴ９）。
これにより、カーソル制御機能部５７４が、リモートコマンダ６０の上下左右への移動指示スイッチの操作に応じたマイクロコンピュータ５６の移動指示命令ＣＭＤに従ってカーソルＣＳＬを、重畳回路５４を通して指示された方向に移動させる（ＳＴ１０）。
【００９１】
ここでユーザが、ユーザがリモートコマンダ６０の十字スティックスイッチ部６４の押し込みボタン６４２で選択決定をと、マイクロコンピュータ５６のズーム指示命令ＣＭＤがＯＳＤ制御回路５７に入力される（ＳＴ１１）。
これにより、カーソル制御機能部５７４が、リモートコマンダ６０のズームスイッチの操作に応じたマイクロコンピュータ５６の選択指示命令ＣＭＤに従ってカーソルＣＳＬで選択されたサムネイル画像を、重畳回路５４を通して拡大表示させる（ＳＴ１２）。
この場合、図８に示すように、決定キーで選定されたサムネイル画像が、中央部のメイン表示領域２１０上に重ねて拡大表示される。
【００９２】
ここで、ユーザがリモートコマンダ６０により拡大表示解除指示を発行すると、マイクロコンピュータ５６の拡大表示解除指示命令ＣＭＤがＯＳＤ制御回路５７に入力される（ＳＴ１３）。
これにより、カーソル制御機能部５７４は、マイクロコンピュータ５６のズーム解除指示命令ＣＭＤを受けると拡大表示を停止し、メイン表示領域２１０への通常映像の表示に切り換える（ＳＴ１４）。
【００９３】
ここで、たとえばユーザが、録画機能のための第２機能ＯＮ/ＯＦＦスイッチ６６を操作すると、放映映像の録画が開始される（ＳＴ１５）。
録画が開始されると、顔認識記録部５５が、受信した映像情報を、顔認識処理を行いながら記録再生部８０に録画を行う（ＳＴ１６）。
顔認識記録部５５は、顔認識した認識画像情報をＯＳＤ制御回路５７に供給する。
【００９４】
このとき、ＯＳＤ制御回路５７の顔認識画像制御機能部５７５は、表示デバイス２０の表示領域２１に、映像再生領域２４０、およびサブ表示領域２５０を形成する。
映像再生領域２４０は、表示領域２１の６割〜８割程度の大きさをもって形成され、記録再生部８０に記録されている録画映像が再生表示される。
サブ表示領域２５０には、たとえば８つのサムネイル表示領域２５１〜２５８が形成され、これらにあらかじめ指定された顔認識対象の画がサムネイル画像として表示される（ＳＴ１７）。
【００９５】
そして、ＯＳＤ制御回路５７の顔認識画像制御機能部５７５が、顔認識記録部５５により供給される顔認識画像情報ＩＦＣを受けて、録画する番組のサムネイル画像として顔認識されたシーンで代表画を置き換える（ＳＴ１８）。
このとき、顔認識画像制御機能部５７５は、あらかじめ指定された顔認識対象の最初に認識した画像で、サムネイル画像として代表画を置き換える。顔認識画像制御機能部５７５は、あらかじめ指定された顔認識対象の画をサムネイル画像として表示し、サムネイル画像を録画している映像の顔認識した画像で置き換える。
また、顔認識画像制御機能部５７５は、顔認識で得られ置き換えたサムネイル画像が選択されると、サムネイル画像を顔認識で得た記録再生部８０に録画されている映像を再生させる。
【００９６】
以上説明したように、本実施形態の制御部５０は、以下の各種機能を有する。
制御部５０は、受信したテレビジョン放送信号に含まれる映像情報およびサムネイル画像の表示デバイス２０への表示を制御する機能を有する。
そして、制御部５０は、優先順位に応じてサムネイル画像を表示する機能を有する。
制御部５０は、サムネイル画像を表示するための優先順位を、アクセス回数に応じて設定する機能を有する。
また、制御部５０は、お気に入り順に順番付けされた優先順位に応じてサムネイル画像を表示する機能を有している。
この場合、制御部５０は、たとえば当初はお気に入り順に順番付けされた優先順位を適用し、アクセス回数の情報が閾値以上に蓄積されると、アクセス回数に応じて優先順位を再割り当てるような機能を持つことも可能である。
制御部５０は、複数のサムネイル画像を、優先順位に従って設定される表示領域に表示する機能を有する。
【００９７】
したがって、本実施形態によれば、視聴者（ユーザ）の好みの写真等を任意に表示させることが可能となる。
すなわち、本実施形態によれば、サムネイル画像をユーザの好みに合った順番で表示させることができ、使い易いという利点がある。
【００９８】
また、制御部５０は、サムネイル画像の輝度をメイン表示領域に表示される映像情報より低くして表示する機能を有する。
この場合、制御部５０は、サムネイル画像の一部の輝度を高くして表示する機能を有する。
また、制御部５０は、カーソル等で選択されたサムネイル画像の輝度を高くして表示する機能を有する。制御部５０は、複数のサムネイル画像を表示する場合、選択されたサムネイル画像の輝度を高くして表示する機能を有している。
【００９９】
したがって、本実施形態によれば、サムネイル画像を、放送映像あるいは再生映像と並列に表示する場合、サムネイル画像が通常の放送映像等より低輝度で表示されることから、映像を楽しんでいる場合にサムネイル画像が目立ちすぎることがなくなる。
すなわち、中央の放送映像がメインである場合に、画面の側部にあるサムネイル画像が目立つことがなくなり、映像の視聴を妨げることを削減できる。
【０１００】
さらに、制御部５０は、受信した映像情報を、顔認識処理を行いながら録画可能な機能を有している。
そして、制御部５０は、録画する番組のサムネイル画像として顔認識されたシーンで代表画を置き換える機能を有している。
この場合、制御部５０は、あらかじめ指定された顔認識対象の最初に認識した画像で、サムネイル画像として代表画を置き換える。
制御部５０は、あらかじめ指定された顔認識対象の画をサムネイル画像として表示し、サムネイル画像を録画している映像の顔認識した画像で置き換える機能を有している。
また、制御部５０は、顔認識で得られ置き換えたサムネイル画像が選択されると、サムネイル画像を顔認識で得た記録再生部８０に録画されている映像を再生する機能を有する。
【０１０１】
したがって、本実施形態によれば、ドラマのタイトルやＣＭ等のサムネイル画像となることがなくなり、ユーザは好みの俳優等の出演する映像を本当に録画できたか否かを簡単に判断することが可能となる。
【０１０２】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【図面の簡単な説明】
【０１０３】
【図１】本発明の実施形態に係る表示制御装置の構成例を示すブロック図である。
【図２】本発明の実施形態に係る表示制御装置の表示デバイスの概要を示す図である。
【図３】本実施形態に係る位置情報取得部の構成例を示すブロック図である。
【図４】本実施形態に係るＯＳＤ制御回路の要部の機能ブロックを示す図である。
【図５】サムネイル表示が行われている場合の表示デバイスの表示形態の一例を示す図である。
【図６】サムネイル表示が行われている場合に輝度を調整する表示形態の一例を示す図である。
【図７】本実施形態に係るカーソル制御機能部のカーソル設定等について説明するための第１図である。
【図８】本実施形態に係るカーソル制御機能部のカーソル設定等について説明するための第２図である。
【図９】顔認識画像制御機能部により形成される表示デバイス上の映像表示画面の一例を示す図である。
【図１０】顔認識により番組を録画し、その番組のサムネイルとして最初に認識されたシーンで代表画を置き換える理由について説明するための図である。
【図１１】本実施形態に係るリモートコマンダの構成例を示す図である。
【図１２】本実施形態の表示制御装置の動作を説明するための第１のフローチャートである。
【図１３】本実施形態の表示制御装置の動作を説明するための第２のフローチャートである。
【図１４】本実施形態の表示制御装置の動作を説明するための第３のフローチャートである。
【符号の説明】
【０１０４】
１０・・・表示制御装置、２０・・・表示デバイス、３０・・・スピーカ、４０・・・テレビジョン（ＴＶ）アンテナ、５０・・・制御部、５１・・・ＴＶチューナ、５２・・・音声デコード回路、５３・・・映像デコード回路、５４・・・重畳回路、５５・・・顔認識記録部、５６・・・マイクロコンピュータ（μ‐Ｃｏｍ）、５７・・・ＯＳＤ制御回路、５７１・・・サムネイル表示制御機能部、５７２・・・優先順位制御機能部、５７３・・・サムネイル輝度制御機能部、５７４・・・カーソル制御機能部、５７５・・・顔認識画像制御機能部、６０・・・リモートコマンダ、７０・・・受光部、８０・・・記録再生部。
【図１】
2010074789.tif 000003
【図２】
2010074789.tif 000004
【図３】
2010074789.tif 000005
【図４】
2010074789.tif 000006
【図５】
2010074789.tif 000007
【図６】
2010074789.tif 000008
【図７】
2010074789.tif 000009
【図８】
2010074789.tif 000010
【図９】
2010074789.tif 000011
【図１０】
2010074789.tif 000012
【図１１】
2010074789.tif 000013
【図１２】
2010074789.tif 000014
【図１３】
2010074789.tif 000015
【図１４】
2010074789.tif 000016